(57)【特許請求の範囲】
【請求項１】
相手ハウジングと嵌合可能なハウジングを備えたコネクタが複数並んで配置され、両ハウジングの嵌合時には前記ハウジングの前面が前記相手ハウジングと対向する方向を向いて配置され、各コネクタの並び方向が前後方向と交差する方向に設定されているワイヤハーネスであって、
前記ハウジングには、前後方向と交差する方向に貫通する通し部が複数区画して設けられ、前記複数の通し部のそれぞれに、各コネクタから延出する電線を配索可能なスペースが確保され、
前記ハウジングは、後方から端子金具を挿入可能なキャビティが設けられたハウジング本体を有し、
前記ハウジング本体の後方には、仕切り部とアーム部とが前後方向に並んで配置され、
前記複数の通し部は、側面視において、前記ハウジング本体の後面と前記仕切り部との間に区画される通し部と、前記仕切り部と前記アーム部との間に区画される通し部とを有し、
前記仕切り部と前記アーム部とが幅方向に対をなし、両アーム部間及び両仕切り部間において前記ハウジング本体の後方が開放されることにより、前記端子金具の前記キャビティへの挿入が可能となっていることを特徴とするワイヤハーネス。
【請求項２】
前記複数の通し部のそれぞれに、それら通し部を有する自身のコネクタから延出する電線を配索可能なスペースと、自身以外のコネクタから延出する他の電線を配索可能なスペースとが、分離して設けられていることを特徴とする請求項１記載のワイヤハーネス。
【請求項３】
前記複数の通し部のうち、最も小さい開口面積を有する通し部に、複数の電線が遊動規制状態に配列されていることを特徴とする請求項１又は２記載のワイヤハーネス。
【請求項４】
相手ハウジングと嵌合可能なハウジングを備え、両ハウジングの嵌合時には前記ハウジングの前面が前記相手ハウジングと対向する方向を向いて配置され、前後方向と交差する方向に他のコネクタが並んで配置されるコネクタであって、
前記ハウジングには、前後方向と交差する方向に貫通する複数の通し部が設けられ、前記複数の通し部のそれぞれに、各コネクタから延出する電線を配索可能なスペースが確保され、
前記ハウジングは、後方から端子金具を挿入可能なキャビティが設けられたハウジング本体を有し、
前記ハウジング本体の後方には、仕切り部とアーム部とが前後方向に並んで配置され、
前記複数の通し部は、側面視において、前記ハウジング本体の後面と前記仕切り部との間に区画される通し部と、前記仕切り部と前記アーム部との間に区画される通し部とを有し、
前記仕切り部と前記アーム部とが幅方向に対をなし、両アーム部間及び両仕切り部間において前記ハウジング本体の後方が開放されることにより、前記端子金具の前記キャビティへの挿入が可能となっていることを特徴とするコネクタ。
【請求項５】
前記複数の通し部のそれぞれに、それら通し部を有する自身のコネクタから延出する電線を配索可能なスペースと、自身以外のコネクタから延出する他の電線を配索可能なスペースとが、分離して設けられていることを特徴とする請求項４記載のコネクタ。
【請求項６】
前記複数の通し部のうち、最も小さい開口面積を有する通し部に、前記電線が遊動規制状態に配列されていることを特徴とする請求項４又は５記載のコネクタ。
【発明の詳細な説明】
【技術分野】
【０００１】
本発明は、ワイヤハーネス及びコネクタに関する。
【背景技術】
【０００２】
特許文献１には、コネクタの後端部に電線カバーが装着された構成が開示されている。電線カバーは、コネクタの後面から延出する電線を収納する四角箱状の電線収納部を有している。電線収納部の上下、左右の各面には、電線引出口が開口して設けられ、電線引出口の前縁部には、ヒンジを介して、電線引出口を開閉可能な開閉蓋が連結して設けられている。この場合、４つの電線引出口のうち、３つの電線引出口の開閉蓋が閉じられる一方、１つの電線引出口の開閉蓋が開かれ、その開かれた１つの電線引出口を通して、コネクタから延出する電線が引き出される。よって、電線は、電線カバーにおける１つの電線引出口から一方向のみに引き出されることになる。
【先行技術文献】
【特許文献】
【０００３】
【特許文献１】特開２００９−９３８６０号公報
【発明の概要】
【発明が解決しようとする課題】
【０００４】
ところで、仮に、コネクタが前後方向（嵌合方向）と交差する方向で他のコネクタと並んで配置される構成である場合に、それぞれのコネクタから延出する電線の配索経路が規定されていないと、電線がばらけて煩雑になりその取り回しに支障をきたす懸念がある。このため、通常、各コネクタから延出する電線はタイバンド等の結束手段によって結束されることになるが、結束手段を用意しなければならない分、部品点数が増えるとともに、結束作業に手間取るおそれがあり、その改善が求められる。
【０００５】
本発明は上記のような事情に基づいて完成されたものであって、部品点数を増やさず、且つ複雑な作業を要せずに、電線の配索経路を定めることが可能なワイヤハーネス及びコネクタを提供することを目的とする。
【課題を解決するための手段】
【０００６】
本発明は、相手ハウジングと嵌合可能なハウジングを備えたコネクタが複数並んで配置され、両ハウジングの嵌合時には前記ハウジングの前面が前記相手ハウジングと対向する方向を向いて配置され、各コネクタの並び方向が前後方向と交差する方向に設定されているワイヤハーネスであって、前記ハウジングには、前後方向と交差する方向に貫通する通し部が複数区画して設けられ、前記複数の通し部のそれぞれに、各コネクタから延出する電線を配索可能なスペースが確保され、前記ハウジングは、後方から端子金具を挿入可能なキャビティが設けられたハウジング本体を有し、前記ハウジング本体の後方には、仕切り部とアーム部とが前後方向に並んで配置され、前記複数の通し部は、側面視において、前記ハウジング本体の後面と前記仕切り部との間に区画される通し部と、前記仕切り部と前記アーム部との間に区画される通し部とを有し、前記仕切り部と前記アーム部とが幅方向に対をなし、両アーム部間及び両仕切り部間において前記ハウジング本体の後方が開放されることにより、前記端子金具の前記キャビティへの挿入が可能となっているところに特徴を有する。
【０００７】
また、本発明は、相手ハウジングと嵌合可能なハウジングを備え、両ハウジングの嵌合時には前記ハウジングの前面が前記相手ハウジングと対向する方向を向いて配置され、前後方向と交差する方向に他のコネクタが並んで配置されるコネクタであって、前記ハウジングには、前後方向と交差する方向に貫通する複数の通し部が設けられ、前記複数の通し部のそれぞれに、各コネクタから延出する電線を配索可能なスペースが確保され、前記ハウジングは、後方から端子金具を挿入可能なキャビティが設けられたハウジング本体を有し、前記ハウジング本体の後方には、仕切り部とアーム部とが前後方向に並んで配置され、前記複数の通し部は、側面視において、前記ハウジング本体の後面と前記仕切り部との間に区画される通し部と、前記仕切り部と前記アーム部との間に区画される通し部とを有し、前記仕切り部と前記アーム部とが幅方向に対をなし、両アーム部間及び両仕切り部間において前記ハウジング本体の後方が開放されることにより、前記端子金具の前記キャビティへの挿入が可能となっているところに特徴を有する。
【発明の効果】
【０００８】
ハウジングには複数の通し部が設けられ、複数の通し部のそれぞれに、各コネクタから延出する電線を配索可能なスペースが確保されているため、各通し部を介することで、部品点数を増やさず、且つ複雑な作業を要せずに、電線の配索経路を定めることができる。とくに、それぞれの通し部に電線をふり分けることにより、電線の配索パターンにバリエーションをもたせることができ、ひいては電線を効率良くまとめて配索することができる。
【図面の簡単な説明】
【０００９】
【図１】実施例の態様１のワイヤハーネスにおいて、複数のコネクタがそれぞれに対応する相手コネクタと正対しつつ整列して配置された状態を示す斜視図である。
【図２】コネクタのハウジングの正面図である。
【図３】同じく背面図である。
【図４】同じく底面図である。
【図５】態様２のワイヤハーネスにおいて、複数のコネクタが整列して配置された状態を示す斜視図である。
【図６】コネクタのカバー部が開状態とされ、各電線が配索された状態を示す斜視図である。
【図７】コネクタのハウジングの正面図である。
【図８】同じく平面図である。
【図９】カバー部が開状態とされたときのハウジングの正面図である。
【図１０】カバー部が開状態とされたときのハウジングの側面図である。
【図１１】態様２−１のワイヤハーネスにおいて、カバー部が開状態とされたときの各電線の配索構造を示す底面図である。
【図１２】態様２−１のワイヤハーネスを構成するコネクタにおいて、通し部を通る各電線の配列状態を示す側面図である。
【図１３】態様２−２のワイヤハーネスにおいて、カバー部が開状態とされたときの各電線の配索構造を示す底面図である。
【図１４】態様２−２のワイヤハーネスを構成するコネクタにおいて、通し部を通る各電線の配列状態を示す側面図である。
【図１５】態様３のワイヤハーネスにおいて、複数のコネクタが整列して配置された状態を示す斜視図である。
【図１６】カバー部が開状態とされたときのハウジングの側面図である。
【図１７】態様３のワイヤハーネスにおいて、カバー部が開状態とされたときの各電線の配索構造を示す底面図である。
【図１８】態様３のワイヤハーネスを構成するコネクタにおいて、通し部を通る各電線の配列状態を示す側面図である。
【図１９】態様４のワイヤハーネスにおいて、複数のコネクタが整列して配置された状態を示す斜視図である。
【図２０】コネクタのハウジングの正面図である。
【図２１】同じく平面図である。
【図２２】同じく背面図である。
【図２３】カバー部が開状態とされたときのハウジングの側面図である。
【図２４】態様４のワイヤハーネスにおいて、複数のコネクタが治具を介して整列して配置された状態を示す斜視図である。
【図２５】態様４のワイヤハーネスにおいて、複数のコネクタが別の治具を介して整列して配置された状態を示す斜視図である。
【図２６】態様４のワイヤハーネスを構成するコネクタにおいて、通し部を通る各電線の配列状態を示す側面図である。
【図２７】態様５のワイヤハーネスにおいて、複数のコネクタが整列して配置された状態を示す斜視図である。
【図２８】態様５のワイヤハーネスを構成するコネクタにおいて、通し部を通る各電線の配列状態を示す側面図である。
【図２９】態様６のワイヤハーネスにおいて、複数のコネクタが整列して配置された状態を示す斜視図である。
【図３０】コネクタのハウジング本体の正面図である。
【図３１】ソレノイド２００に設置された相手コネクタの正面図である。
【図３２】図３１の拡大正面図である。
【図３３】態様７のワイヤハーネスにおけるコネクタの斜視図である。
【図３４】コネクタの正面図である。
【図３５】コネクタの背面図である。
【図３６】コネクタの側面図である。
【図３７】図３６のＡ−Ａ線断面図である。
【図３８】ソレノイドに設置された相手コネクタに嵌合されたコネクタの背面視方向の断面図である。
【図３９】ソレノイドが角変位した場合におけるコネクタの背面視方向の断面図である。
【図４０】比較例の図３９相当図である。
【図４１】カバー部の斜視図である。
【図４２】カバー部の側面図である。
【図４３】カバー部の正面図である。
【図４４】カバー部の平面図である。
【図４５】ハウジング部分の斜視図である。
【図４６】ハウジング部分の正面図である。
【図４７】ハウジング部分の底面図である。
【発明を実施するための形態】
【００１０】
本発明の好ましい形態を以下に示す。
前記複数の通し部のそれぞれに、それら通し部を有する自身のコネクタから延出する電線を配索可能なスペースと、自身以外のコネクタから延出する他の電線を配索可能なスペースとが、分離して設けられている。自身のコネクタから延出する電線と、自身以外のコネクタから延出する他の電線とを、それぞれの通し部にふり分けて配索することにより、各電線の配索作業を規則的に行うことができるため、作業効率に優れる。
【００１１】
前記複数の通し部のうち、最も小さい開口面積を有する通し部に、複数の電線が遊動規制状態に配列されている。最も小さい開口面積を有する通し部に複数の電線が遊動規制状態に配列されることにより、その電線が軸となってハウジングが相手ハウジングと嵌合可能な位置に整列されるため、コネクタが迷いなく相手コネクタと嵌合され、嵌合作業の円滑性及び迅速性が確保される。
【００１２】
＜実施例＞
本実施例のワイヤハーネスは、図１、図５、図１５、図１９、図２７及び図２９に示すように、軸方向（電線１００の配索方向であって、前後方向と交差（直交）する方向と同義）に延出する複数本の電線１００が配索された幹線部１０と、幹線部１０の延出方向に間隔をあけた複数箇所に設置され、幹線部１０の各電線１００のうちの一部の電線１００が幹線部１０と交差する方向に分岐して配索された分岐部２０とを備える。幹線部１０の各電線１００の本数は、基端部側（図１の右側）から先端部側（図１の左側）へ向けて各分岐部２０を経る毎に減少していく。
【００１３】
各電線１００の端部にはそれぞれ端子金具３０が接続されており（図４及び図１２を参照）、各端子金具３０は、対応するコネクタ４０に収容されて保持されている。幹線部１０の基端部には、図示しない大型のコネクタが設けられ、幹線部１０の先端部及び各分岐部２０には、それぞれ小型のコネクタが設けられている。なお、以下の説明において、とくに断りのない限り、コネクタ４０とは、小型のコネクタを意味する。
【００１４】
コネクタ４０は、対応する相手コネクタ７０に嵌合可能とされている。相手コネクタ７０は、図１に示すように、各コネクタ４０と対応する位置に複数設けられている。本実施例の場合、相手コネクタ７０は、円筒状をなすソレノイド２００の外周面に設置されている（図３１を参照）。ソレノイド２００は、図示しないオートマチックトランスミッションを構成する部品にその部品の側縁に沿って前後方向と交差する方向に複数並んで取り付けられ、相手コネクタ７０は、各ソレノイド２００と対応するように前後方向と交差する方向に複数並んで配置されている。
【００１５】
具体的には、相手コネクタ７０は、合成樹脂製の相手ハウジング７１を備え、図１に示すように、相手ハウジング７１は、筒状のフード部７２を有している。フード部７２内には図示しない相手端子金具が突出して配置されている。フード部７２の一側面の下端部には、側方に膨出するように張り出す拡張部７３が設けられている。一方、コネクタ４０は、以下に示す態様１〜７のいずれかの態様で構成されている。なお、態様１〜７において、互いに共通する構造あるいは共通する機能を有する部分については、同一名称及び同一符号を付すことにする。
【００１６】
＜態様１＞
図１〜図４は、態様１を示す。態様１のコネクタ４０は、合成樹脂製のハウジング４１を備えている。ハウジング４１は、前後方向に細長い角ブロック状のハウジング本体４２と、ハウジング本体４２の後方に配設される屈曲板状のガイド部４３とからなる。
【００１７】
ハウジング本体４２は、相手コネクタ７０のフード部７２内に前方から嵌合可能とされ、内部に、後方から端子金具３０を挿入可能なキャビティ４４が設けられている。キャビティ４４は、幅方向に複数並んで配置されている。図３及び図７に示すように、キャビティ４４の内壁上面には、ランス４５が突出して設けられている。端子金具３０は、キャビティ４４内に正規挿入された状態でランス４５に弾性的に係止され、これによってキャビティ４４内に抜け止め状態に保持される。また、各キャビティ４４内に端子金具３０が挿入された状態で、各端子金具３０に接続された電線１００は、ハウジング本体４２の後面から延出して後述するガイド部４３の通し部５２に挿通される。
【００１８】
また、図２に示すように、ハウジング本体４２の前面外縁には、テーパ状の面取り部４６が全周に亘って設けられている。ハウジング本体４２は、両ハウジング４１、７１の嵌合時に、面取り部４６に沿ってフード部７２内に誘い込まれるようになっている。
【００１９】
ハウジング本体４２の上面には、両ハウジング４１、７１の嵌合時に相手ハウジング７１を係止して嵌合状態に保持するロック部４７が突設されている。また、ハウジング本体４２の前端部には、その一側面の下端から側方に張り出す突片４８が設けられている。突片４８は、両ハウジング４１、７１の嵌合時に相手ハウジング７１の拡張部７３内に挿入される。この場合、仮に、ハウジング本体４２の嵌合姿勢が正規と逆向きの姿勢であると、突片４８がフード部７２の開口縁に当接して拡張部７３内に挿入されず、両ハウジング４１、７１の嵌合動作が規制される。これにより、ハウジング４１が誤った嵌合姿勢のまま相手ハウジング７１と嵌合される事態が回避されるようになっている。
【００２０】
ガイド部４３は、図１及び図２に示すように、ハウジング本体４２の後端上縁に一体に連結され、且つハウジング本体４２よりも幅方向両側に張り出した状態で後方に突出する基部４９と、基部４９の後端の幅方向両端部から下向きに突出する一対のアーム部５０と、両アーム部５０の下端から前方に突出する一対の掛止部５１とからなる。側面視において、ハウジング本体４２の後面、基部４９、アーム部５０及び掛止部５１によって区画される略矩形の開口部分は、ガイド部４３を幅方向（前後方向と交差する方向）に貫通してなり、自身のハウジング本体４２から延出する各電線１００つまり分岐部２０の各電線１００と、幹線部１０の各電線１００とが、それぞれ配索される通し部５２とされている。この場合に、図１に示すように、幹線部１０の各電線１００は、通し部５２の両端開口を通してガイド部４３の内外を貫通した状態で、前後方向と交差する双方向に配索される。
【００２１】
基部４９の幅方向両端部は、幅方向中央部よりも厚肉とされ、基部４９の幅方向両端部の上面は、ハウジング本体４２の上面よりも一段高い位置に配置されている。基部４９の幅方向中央部は、ロック部４７の後面を成形する金型の型抜き通路としてロック部４７の後方を開放した状態となし、基部４９の幅方向中央部の上面は、ハウジング本体４２の上面と段差なく面一で連続して配置されている。
【００２２】
両アーム部５０は、帯板状に垂下する形態とされ、基部４９と略直角に一体に連結され、且つハウジング本体４２の後面と略平行に配置されている。そして、両アーム部５０の下端は、ハウジング本体４２の下端とほぼ同じ高さ位置に配置されている。また、図３に示すように、両アーム部５０は、背面視において、ハウジング本体４２と幅方向で重なる部分を有さず、ハウジング本体４２を挟んだ幅方向両側に対をなして配置されている。
【００２３】
両掛止部５１は、両アーム部５０とほぼ同じ板幅及び板厚をもって前方（通し部５２側）に短く突出する形態とされ、両アーム部５０と略直角に一体に連結され、且つ基部４９と略平行に配置されている。図４に示すように、両掛止部５１の前端は、前後方向において、ハウジング本体４２の後面より後方に離れた位置に配置されている。ガイド部４３の通し部５２に挿通される各電線１００は、掛止部５１に引っ掛け係止されることにより、通し部５２にその脱落が規制された状態で保持されるようになっている。
【００２４】
次に、ガイド部４３の通し部５２に挿通される各電線１００の配索構造について説明する。
ハウジング本体４２の後面から延出する各電線１００は、ガイド部４３の通し部５２に進入し、その通し部５２を区画するアーム部５０によって矯正されつつ実質的にたるみ無く略直角に屈曲させられ、その状態で、幹線部１０の各電線１００に取り入れられ、前後方向と交差する方向に並列に配置された他のコネクタ４０におけるガイド部４３の通し部５２を、前後方向と交差する双方向に貫通して配索される。
【００２５】
また、幹線部１０側から見れば、幹線部１０の各電線１００は、前後方向と交差する方向に並ぶ複数のコネクタ４０におけるガイド部４３の通し部５２を、前後方向と交差する方向にほぼ同軸で貫通し、その先端部が、各電線１００に対応するコネクタ４０のガイド部４３の通し部５２に進入した位置にて実質的にたるみ無く前方へ略直角に屈曲させられ、同コネクタ４０のハウジング本体４２に端子金具３０を介して引き入れられる。この場合、両アーム部５０がハウジング本体４２の幅方向両側外方に配置され、ハウジング本体４２の後方が開放されているので、ハウジング本体４２への端子金具３０の挿入動作を支障なく行うことが可能となる。
【００２６】
こうして幹線部１０の各電線１００が、対応するコネクタ４０に順次引き入れられることにより、図１に示すように、前後方向と交差する方向に間隔をあけて複数の分岐部２０が形成されることになる。
【００２７】
上記各電線１００の配索構造において、各分岐部２０のコネクタ４０におけるガイド部４３の通し部５２には、他のコネクタ４０から延出する幹線部１０の各電線１００が前後方向と交差する双方向に貫通して配索される。この場合に、幹線部１０の各電線１００は、ある程度の剛性及び形状保持性を有しており、幹線部１０の直線性を維持することが可能な軸としての機能を発揮するものとなる。このため、コネクタ４０は、幹線部１０の各電線１００によって実質的に軸支された状態となり、相手コネクタ７０に対する嵌合姿勢が前後方向と交差する方向にぶれるのが防止される。
【００２８】
また、各分岐部２０のコネクタ４０は、幹線部１０の各電線１００の軸機能によって、前後方向と交差する方向に互いに所定間隔をあけて実質的に整列させられた状態になる。したがって、各コネクタ４０は、同じく整列状態にある複数の相手コネクタ７０に対してそれぞれのハウジング本体４２の前面（嵌合面）を正対させた状態から相手コネクタ７０への嵌合作業を円滑且つ迅速に行うことが可能となる。
【００２９】
＜態様２＞
図５〜図１４は、態様２を示す。態様２のコネクタ４０は、態様１と同様、合成樹脂製のハウジング４１を備え、ハウジング４１は、端子金具３０を収容可能な角ブロック状のハウジング本体４２と、各電線１００を挿通可能な屈曲板状のガイド部４３とからなる。
【００３０】
図６及び図７に示すように、ハウジング本体４２の両側面の後端下部には、一対のカバーロック受け部５３が突設されている。両カバーロック受け部５３は、側面視矩形の扁平突状をなし、ガイド部４３に設けられた後述するカバー部５６のカバーロック部５９に係止可能とされている。ハウジング本体４２のその他の構造は、態様１と同様であるため、説明を省略する。
【００３１】
ガイド部４３は、図５及び図１０に示すように、ハウジング本体４２の後端上縁に一体に連結され、且つハウジング本体４２よりも幅方向両側に張り出した状態で後方に突出する基部４９と、基部４９の前端側の幅方向両端部から下向きに突出する一対の仕切り部５４と、基部４９の後端の幅方向両側部から下向きに突出する一対のアーム部５０と、基部４９の上面の幅方向両側に一体に連結された可撓性で且つ帯状をなす一対のヒンジ部５５と、両ヒンジ部５５の先端部に一体に連結され、ヒンジ部５５を中心として開状態と閉状態とに回動可能に変位するカバー部５６とからなる。
【００３２】
基部４９は、態様１と同様、幅方向両端部が幅方向中央部よりも厚肉になる形態とされている。両ヒンジ部５５は、前記厚肉になる基部４９の幅方向両端部における上面後端に一体に連結され、図１０に示すように、カバー部５６が開状態のときには、基部４９の上面から直線状に起立して配置され、図１２に示すように、カバー部５６が閉状態のときには、基部４９の上面にほぼ円形に回曲して配置される。
【００３３】
図１０に示すように、仕切り部５４とアーム部５０とは、基部４９と略直角に一体に連結され、側面視において、前後方向に互いに並んで配置されている。また、両仕切り部５４と両アーム部５０とは、背面視において、両カバーロック受け部５３と幅方向で重なる部分を有するものの、両カバーロック受け部５３を除いてハウジング本体４２の後面部分と幅方向で重なる部分を有しない位置に配置されている。
【００３４】
図１２に示すように、仕切り部５４は、前後方向に関してハウジング本体４２の後面寄りの位置に配置され、側面視において、ハウジング本体４２の後面との間に、各電線１００の一本分の径寸法と同等又は少し大きい程度の開口寸法が確保されている。一方、仕切り部５４とアーム部５０との間には、各電線１００の複数本の径寸法以上の開口寸法が確保されている。また、図８に示すように、アーム部５０は、基部４９の後端からほぼ自身の前後寸法分だけ後方に突出しており、両アーム部５０の幅方向の対向空間に、カバー部５６の後述する連結部５７が嵌合可能とされている。
【００３５】
カバー部５６は、図６及び図１０に示すように、両ヒンジ部５５の先端部に一体に連結され、開状態のときに両ヒンジ部５５と連続するように起立して配置される平板状の連結部５７と、連結部５７の先端部と略直角に一体に連結され、閉状態において基部４９と対向し、且つ基部４９と同等又はそれ以上の表面積を有する平板状の対向基部５８と、対向基部５８の先端部の幅方向両端と略直角に一体に連結され、閉状態においてカバーロック受け部５３を弾性的に係止する一対のカバーロック部５９とからなる。両カバーロック部５９は、対向基部５８との連結位置を支点として撓み可能な帯板状の形態とされ、図７及び図９に示すように、その先端部に、爪状の係止突起６０が内側に突出して設けられている。
【００３６】
図７に示すように、カバー部５６の両カバーロック部５９が閉状態においてハウジング本体４２の両カバーロック受け部５３に弾性的に係止されることにより、図１２に示すように、ハウジング本体４２の後面とカバー部５６との間に、幅方向（前後方向と交差する方向）に貫通する通し部５２が画成される。図１２に示すように、画成された通し部５２は、側面視において、ハウジング本体４２、基部４９、アーム部５０、仕切り部５４及び対向基部５８によって全周に亘って閉じた形状となり、且つ仕切り部５４を介して２室に分離された状態となる。具体的には、通し部５２は、側面視において、ハウジング本体４２の後面と仕切り部５４との間に区画される開口寸法が狭小な第１通し部５２Ａと、仕切り部５４とアーム部５０との間に区画される開口寸法が広大な第２通し部５２Ｂとで構成される。第１通し部５２Ａには、各電線１００が高さ方向に縦一列で密に配列され、第２通し部５２Ｂには、各電線１００が高さ方向及び前後方向に概ね点在して配列される。とくに、第１通し部５２Ａにおいては、各電線１００の径方向両端がハウジング本体４２の後面と両仕切り部５４とに当接可能に配置され、各電線１００が前後方向への遊動を規制された状態に挟持される。
【００３７】
次に、ガイド部４３の通し部５２に挿通される各電線１００の配索構造について説明する。
まず、ガイド部４３の通し部５２に各電線１００が挿通されるに際し、カバー部５６が両ヒンジ部５５を介して開状態とされ、ハウジング本体４２の後方が開放される。続いで、幹線部１０の各電線１００のうち、分岐部２０に分岐される各電線１００が分取され、その分取された各電線１００が第１通し部５２Ａに通されて端子金具３０を介してハウジング本体４２のキャビティ４４に後方から挿入される。この場合に、各電線１００は、分岐部２０と対応する位置にその先端部が臨むように、幹線部１０の各電線１００よりも延出長さが短くされている。一方、図６に示すように、幹線部１０の各電線１００のうち、幹線部１０に残る各電線１００は、第２通し部５２Ｂに通され、第２通し部５２Ｂの両端開口を通して前後方向と交差する双方向に引き出される。
【００３８】
続いて、カバー部５６が両ヒンジ部５５を介して閉状態に向けて回動される。すると、連結部５７が両アーム部５０の対向空間に嵌合することでハウジング４１の後面が閉塞されるとともに、対向基部５８が通し部５２を挟んで基部４９と対向して配置されることでハウジング４１の底面が閉塞され、且つ、両カバーロック部５９の係止突起６０が両カバーロック受け部５３を弾性的に係止することでカバー部５６がハウジング本体４２に対して閉状態に保持される。また、カバー部５６が閉状態に保持されることにより、各電線１００が通し部５２に通された状態に維持される。
【００３９】
上記の場合、第１通し部５２Ａに遊動規制状態で密に配列された各電線１００が軸となって、コネクタ４０が前後方向と交差する方向に首振りするのが防止される。その結果、コネクタ４０が相手コネクタ７０と正対した状態で相手コネクタ７０との嵌合動作を円滑且つ迅速に行うことができる。とくに、第１通し部５２Ａがハウジング本体４２と近接する位置に配置されているため、第１通し部５２Ａを通る各電線１００の軸機能により、コネクタ４０が首振りするのが確実に防止される。
なお、態様２の場合、各電線１００の具体的な配索構造として、以下の態様２−１と態様２−２のうちのいずれかが選択される。
【００４０】
＜態様２−１＞
図１１に示すように、幹線部１０の先端側で分岐される分岐部２０の左端のコネクタ４０においては、自身のハウジング本体４２から延出する各電線１００が全て第１通し部５２Ａに挿通される一方、第２通し部５２Ｂには電線１００が挿通されずに空の状態とされる。また、左端のコネクタ４０と隣接する分岐部２０の中央のコネクタ４０においては、自身のハウジング本体４２から延出する各電線１００が全て第１通し部５２Ａに挿通されるとともに、左端のコネクタ４０から延出する各電線１００も全て第１通し部５２Ａに挿通される一方、第２通し部５２Ｂには電線１００が挿通されずに空の状態とされる。さらに、中央のコネクタ４０とその右側で隣接する分岐部２０の右端のコネクタ４０においては、自身のハウジング本体４２から延出する各電線１００が全て第１通し部５２Ａに挿通されるとともに、左端のコネクタ４０から延出する各電線１００も全て第１通し部５２Ａに挿通される一方、第２通し部５２Ｂには中央のコネクタ４０から延出する各電線１００が全て挿通される。このように、態様２−１では、コネクタ４０の第１通し部５２Ａに、左端のコネクタ４０から延出する各電線１００と、自身のハウジング本体４２から延出する各電線１００（分岐部２０の各電線１００）とが挿通され、コネクタ４０の第２通し部５２Ｂに、隣接する分岐部２０のコネクタ４０から延出する各電線１００（幹線部１０の各電線１００）が挿通される。
【００４１】
＜態様２−２＞
図１３に示すように、幹線部１０の先端側で分岐される分岐部２０の左端のコネクタ４０においては、自身のハウジング本体４２から延出する各電線１００が全て第１通し部５２Ａに挿通される一方、第２通し部５２Ｂには電線１００が挿通されずに空の状態とされる。また、左端のコネクタ４０と隣接する分岐部２０の中央のコネクタ４０においては、自身のハウジング本体４２から延出する各電線１００が全て第１通し部５２Ａに挿通される一方、左端のコネクタ４０から延出する各電線１００が全て第２通し部５２Ｂに挿通される。さらに、中央のコネクタ４０とその右側で隣接する分岐部２０の右端のコネクタ４０においては、自身のハウジング本体４２から延出する各電線１００が全て第１通し部５２Ａに挿通される一方、左端のコネクタ４０から延出する各電線１００及び中央のコネクタ４０から延出する各電線１００が全て第２通し部５２Ｂに挿通される。このように、態様２−２では、コネクタ４０の第１通し部５２Ａに、自身のハウジング本体４２から延出する各電線１００（分岐部２０の各電線１００）が挿通され、コネクタ４０の第２通し部５２Ｂに、他のコネクタ４０から延出する各電線１００（幹線部１０の各電線１００）が挿通される。
【００４２】
＜態様３＞
図１５〜図１８は、態様３を示す。態様３のコネクタ４０も、態様１、２と同様、合成樹脂製のハウジング４１を備え、ハウジング４１は、端子金具３０を収容可能な角ブロック状のハウジング本体４２と、各電線１００を挿通可能な屈曲板状のガイド部４３とからなる。
【００４３】
ハウジング本体４２は態様２と同様であって、その両側面の後端下部に、一対のカバーロック受け部５３が突設されている。
【００４４】
ガイド部４３は態様２と同様であって、基部４９、一対の仕切り部５４、一対のアーム部５０、一対のヒンジ部５５及びカバー部５６からなる。もっとも、態様３の場合、図１８に示すように、側面視において、ハウジング本体４２の後面と仕切り部５４との間の開口寸法と、仕切り部５４とアーム部５０との間の開口寸法とは、ほぼ同等とされている。ガイド部４３のその他の構成は態様２と同様である。
【００４５】
図１７に示すように、態様３の場合、幹線部１０の先端側で分岐される分岐部２０の左端のコネクタ４０においては、自身のハウジング本体４２から延出する各電線１００が、それぞれ、第１通し部５２Ａに挿通される電線１００と、第２通し部５２Ｂに挿通される電線１００とに、ふり分けられる。また、左端のコネクタ４０と隣接する分岐部２０の中央のコネクタ４０においては、自身のハウジング本体４２から延出する各電線１００が、それぞれ、第１通し部５２Ａに挿通される電線１００と、第２通し部５２Ｂに挿通される電線１００とに、ふり分けられるとともに、左端のコネクタ４０から延出する各電線１００が第１通し部５２Ａと第２通し部５２Ｂとにそのまま直線状に挿通される。さらに、中央のコネクタ４０とその右側で隣接する分岐部２０の右端のコネクタ４０においては、自身のハウジング本体４２から延出する各電線１００が、それぞれ、第１通し部５２Ａに挿通される電線１００と、第２通し部５２Ｂに挿通される電線１００とに、ふり分けられるとともに、左端のコネクタ４０から延出する各電線１００及び中央のコネクタ４０から延出する各電線１００が第１通し部５２Ａと第２通し部５２Ｂとにそのまま直線状に挿通される。このように、態様３では、自身のハウジング本体４２から延出する各電線１００（分岐部２０の各電線１００）及び他のコネクタ４０から延出する各電線１００（幹線部１０の各電線１００）が、第１通し部５２Ａと第２通し部５２Ｂとに均等にふり分けられる。つまり、各電線１００が第１通し部５２Ａと第２通し部５２Ｂとに同本数ずつふり分けられるため、上記のように、第１通し部５２Ａと第２通し部５２Ｂとが互いに同等の開口寸法（開口面積）を有する場合に、好適な配索構造となる。
【００４６】
＜態様４＞
図１９〜図２６は、態様４を示す。態様４のコネクタ４０も、態様１〜３と同様、合成樹脂製のハウジング４１を備え、ハウジング４１は、端子金具３０を収容可能な角ブロック状のハウジング本体４２と、各電線１００を挿通可能な屈曲板状のガイド部４３とからなる。なお、ハウジング本体４２の構造は、態様１と同様であるため、説明を省略する。
【００４７】
ガイド部４３は、図１９に示すように、ハウジング本体４２の後端上縁に一体に段付き状に連結され、且つハウジング本体４２よりも幅方向両側に大きく張り出した状態で後方に突出する矩形板状の基部４９と、基部４９の後端の幅方向両端部から下向きに突出する一対のアーム部５０と、基部４９の前端の幅方向両端部から下向きに突出し、且つハウジング本体４２の後端から両側方に張り出す一対の前壁部６１と、両前壁部６１の下端に一体に連結された可撓性で且つ帯状をなす一対のヒンジ部５５と、両ヒンジ部５５の先端部に一体に連結され、ヒンジ部５５を中心として開状態と閉状態とに回動可能に変位するカバー部５６とからなる。
【００４８】
図２１に示すように、基部４９の後端の幅方向中央部には、切欠状のカバーロック受け部５３が凹設されている。また、基部４９の上面には、平面視矩形のテーブル部６２が設けられている。図１９に示すように、テーブル部６２は、前後方向に貫通するとともに、前後方向と交差する方向に貫通する通し部５２Ｅを有している。テーブル部６２の前後両面には、前後方向に延出する通し部５２Ｅの両端がスリット状に開口し、テーブル部６２の幅方向両面には、前後方向と交差する方向に延出する通し部５２Ｅの両端がスリット状に開口している。
【００４９】
両アーム部５０は、両前壁部６１と対向する位置に配置され、背面視において、ハウジング本体４２と幅方向で重なる部分を有さず、ハウジング本体４２を挟んだ幅方向両側に対をなして配置されている。図２２に示すように、両アーム部５０の幅方向の対向空間には、カバー部５６の後述するカバーロック部５９が嵌合可能とされている。
【００５０】
カバー部５６は、図２３に示すように、両ヒンジ部５５の先端部に一体に連結され、開状態において両ヒンジ部５５と連続するように起立して配置される平板状の連結部５７と、連結部５７の先端部と略直角に一体に連結され、閉状態においてハウジング本体４２の後面と対向し、両アーム部５０の対向空間に嵌合可能な平板状のカバーロック部５９が設けられている。図２２に示すように、カバーロック部５９の幅方向中央部には、縦長矩形状の窓部６３が開口して設けられている。
【００５１】
図２６に示すように、カバー部５６には、前後方向と交差する方向に貫通する通し部５２が設けられており、通し部５２の両端開口を通して各電線１００が双方向に配索可能とされている。また、カバーロック部５９の先端部には、閉状態においてカバーロック受け部５３に嵌合して弾性的に係止可能な爪状の係止突起６０が内側に突出して設けられている。
【００５２】
次に、態様４における各電線１００の配索構造について説明する。
まず、カバー部５６が両ヒンジ部５５を介して開状態とされ、ハウジング本体４２の後方が開放される。続いて、幹線部１０の各電線１００のうち、分岐部２０に分岐される各電線１００が、対応するコネクタ４０のガイド部４３の通し部５２を通して、同コネクタ４０のハウジング本体４２に引き入れられる。また、幹線部１０の各電線１００のうち、幹線部１０に残る各電線１００もガイド部４３の通し部５２に通され、通し部５２の両端開口を通して前後方向と交差する双方向に配索される。
【００５３】
続いて、カバー部５６が両ヒンジ部５５を介して閉状態に向けて回動される。すると、カバーロック部５９が両アーム部５０の対向空間に嵌合することでハウジング４１の後面が閉塞されるとともに、連結部５７が通し部５２を挟んで基部４９と対向して配置されることでハウジング４１の底面が閉塞され、且つ、両カバーロック部５９の係止突起６０が両カバーロック受け部５３を弾性的に係止することでカバー部５６がハウジング本体４２に対して閉状態に保持される。また、図２６に示すように、カバー部５６が閉状態に保持されることにより、各電線１００が通し部５２に通された状態に維持される。
【００５４】
さらに、態様４の場合、図２４に示すように、各コネクタ４０のテーブル部６２の通し部５２Ｅに、これら通し部５２Ｅを前後方向と交差する方向に一括して貫通する治具８０が挿入される。治具８０は、各通し部５２Ｅに嵌合可能な断面扁平で且つ直線状をなす部材であって、その直線性を維持可能な所定の剛性を有している。このため、各コネクタ４０は、治具８０を介して、幹線部１０の分岐位置に整列状態に保持されるとともに、前後方向と交差する方向に首振りするのが確実に防止される。その結果、ハウジング本体４２の前面が相手コネクタ７０と正対した状態から両コネクタ４０、７０の嵌合動作を円滑且つ迅速に行うことが可能となる。
【００５５】
さらにまた、態様４の場合、図２５に示すように、治具８０として、幹線部１０に沿って前後方向と交差する方向に延びる本体部８１と、各コネクタ４０と対応する位置にて本体部８１から前方に突出してなる突出片８２とを有する形態のものを用いることも可能である。この場合、各コネクタ４０のうち、前後方向に貫通するテーブル部６２の通し部５２Ｅに、後方から治具８０の突出片８２が差し込まれることにより、上記同様、各コネクタ４０が前後方向と交差する方向に整列して配置されることになる。
【００５６】
＜態様５＞
図２７及び図２８は、態様５を示す。態様５のコネクタ４０も、態様１〜４と同様、合成樹脂製のハウジング４１を備え、ハウジング４１は、端子金具３０を収容可能な角ブロック状のハウジング本体４２と、各電線１００を挿通可能な屈曲板状のガイド部４３とからなる。なお、ハウジング本体４２の構造は態様１と同様であるため、説明を省略する。
【００５７】
ガイド部４３は、ハウジング本体４２の後端上縁に連結されて後方に短く突出する基部４９と、基部４９の後端の幅方向両端部から下向きに突出する一対のアーム部５０と、基部４９の上面の幅方向両端部に連結された可撓性で且つ帯状をなす一対のヒンジ部５５と、両ヒンジ部５５の先端部に一体に連結され、ヒンジ部５５を中心として閉状態と開状態とに回動可能なカバー部５６とからなる。
【００５８】
基部４９は、ハウジング本体４２の上面より一段高くなる部分を有し、この部分に前後方向に貫通する通し部５２Ｅが設けられている。基部４９の通し部５２Ｅに、態様４の治具８０が挿入されることにより、コネクタ４０が幹線部１０の分岐位置に位置決め可能とされている。両アーム部５０は、背面視において、両カバーロック受け部５３を除いてハウジング本体４２の後面部分と幅方向で重なる部分を有しない位置に配置されている。また、両アーム部５０の幅方向の対向空間には、カバー部５６の後述する連結部５７が嵌合可能とされている。さらに、両アーム部５０は、前後方向に関してハウジング本体４２の後面寄りの位置に配置され、側面視において、ハウジング本体４２の後面との間に、各電線１００の一本分の径寸法と同等又は少し大きい程度の開口寸法が確保されている。
【００５９】
カバー部５６は、両ヒンジ部５５の先端部に連結され、開状態のときに両ヒンジ部５５と連続するように起立して配置される平板状の連結部５７と、連結部５７の先端部に連結され、閉状態において基部４９と対向して配置される平板状の対向基部５８と、対向基部５８の先端部の幅方向両端に連結され、閉状態においてカバーロック受け部５３を弾性的に係止する一対のカバーロック部５９とからなる。両カバーロック部５９は、対向基部５８との連結位置を支点として撓み可能な帯板状の形態とされ、その先端部に、爪状の係止突起６０が内側に突出して設けられている。
【００６０】
カバー部５６の両カバーロック部５９が閉状態においてハウジング本体４２の両カバーロック受け部５３に弾性的に係止されることにより、ハウジング本体４２の後面とカバー部５６との間に、幅方向（前後方向と交差する方向）に貫通する通し部５２が画成される。通し部５２は、側面視において、ハウジング本体４２、基部４９、アーム部５０及び対向基部５８によって全周に亘って閉じた形状となる。態様５のコネクタ４０は、通し部５２が１室である点を除けば、態様２のコネクタ４０と概ね同様の構造とされ、態様５のコネクタ４０の通し部５２は、態様２のコネクタ４０の第１通し部５２Ａを高さ寸法に増大させた形態に相当するものである。
【００６１】
次に、態様５における各電線１００の配索構造について説明する。
まず、カバー部５６が両ヒンジ部５５を介して開状態とされ、ハウジング本体４２の後方が開放される。続いて、幹線部１０の各電線１００のうち、分岐部２０に分岐される各電線１００が、対応するコネクタ４０のガイド部４３の通し部５２を通して、同コネクタ４０のハウジング本体４２に引き入れられる。また、幹線部１０の各電線１００のうち、幹線部１０に残る各電線１００もガイド部４３の通し部５２に通され、通し部５２の両端開口を通して前後方向と交差する双方向に配索される。このとき、各電線１００は、ガイド部４３の通し部５２に縦一列となって遊動規制状態で密に配列される。
【００６２】
続いて、カバー部５６が両ヒンジ部５５を介して閉状態に向けて回動される。すると、連結部５７が両アーム部５０の対向空間に嵌合することでハウジング４１の後面が閉塞されるとともに、対向基部５８が通し部５２を挟んで基部４９と対向して配置されることでハウジング４１の底面が閉塞され、且つ、両カバーロック部５９の係止突起６０が両カバーロック受け部５３を弾性的に係止することでカバー部５６がハウジング本体４２に対して閉状態に保持される。また、カバー部５６が閉状態に保持されることにより、各電線１００が通し部５２に通された状態に維持される。
【００６３】
態様５によれば、態様２と同様、各電線１００が軸となって、各コネクタ４０が、前後方向と交差する方向に首振りするのが防止されるとともに、対応する分岐部２０の分岐位置に整列させられた状態に維持される。
【００６４】
＜態様６＞
図２９〜図３２は、態様６を示す。態様６のコネクタ４０も、態様１〜５と同様、合成樹脂製のハウジング４１を備え、ハウジング４１は、端子金具３０を収容可能な角ブロック状のハウジング本体４２と、各電線１００を挿通可能な屈曲板状のガイド部４３とからなる。なお、ガイド部４３の構造は態様１と同様であるため、説明を省略する。
【００６５】
ハウジング本体４２の前端部には、その両側面の下端から両側方に張り出す一対の突片４８が設けられている。両突片４８の下面は、ハウジング本体４２の他の下面と段差なく面一で連続して配置されている。そして、ハウジング本体４２の下面は、両突片４８の下面も含め、正面視において円弧を描くように、その全体が上方へ弓なりに湾曲する円弧部６４とされている。この場合に、両突片４８の全体が弧状に形成されている。また、図３０に示すように、面取り部４６は、両突片４８の外縁のうち、円弧部６４を除いた外周部に設けられている。ハウジング本体４２のその他の構造は、態様１と同様である。
【００６６】
一方、態様６の場合、相手コネクタ７０の構造が既述したものから多少変更されており、以下、その変更点を中心に説明する。
図３１に示すように、相手コネクタ７０のフード部７２には、その両側面の下端から両側方に膨出するように張り出す一対の拡張部７３が設けられている。両拡張部７３の下面は、フード部７２の他の下面と段差なく面一で連続して配置されている。そして、フード部７２の下面は、両拡張部７３も含め、正面視において円弧を描くように、その全体が上方へ弓なりに湾曲する形態をなす相手円弧部７４とされている。この場合、両拡張部７３の全体が弧状に形成されている。
【００６７】
円弧部６４及び相手円弧部７４は、ほぼ同一の曲率半径を有し、両コネクタ４０、７０の嵌合時に、互いに同心円弧状に配置される。この場合において、円弧部６４及び相手円弧部７４の曲率中心は、ソレノイド２００の軸心に一致しており、フード部７２の相手円弧部７４は、ソレノイド２００の外周面に沿って配置されている。
【００６８】
ところで、ソレノイド２００は、オートマチックトランスミッションを構成する部品に取り付けられた状態で、その軸中心を中心として所定の角度範囲で前後方向（両コネクタ４０、７０の嵌合方向）と平行な軸周りに角変位可能とされている。このため、相手コネクタ７０も、ソレノイド２００が角変位するのに伴い、ソレノイド２００の軸中心を中心として所定の角度範囲で角変位するようになっている。
【００６９】
態様６の場合、態様１と同様、コネクタ４０は、ガイド部４３の通し部５２に通される各電線１００の軸機能によって、相手コネクタ７０に対して略位置決めされた状態で相手コネクタ７０に対する嵌合動作を開始することが可能とされる。
【００７０】
このとき、図３２に示すように、相手コネクタ７０が初期位置から所定の角度範囲で角変位していると、フード部７２の相手円弧部７４がソレノイド２００の軸心を中心として同心円弧に沿って変位することになる。そして、両コネクタ４０、７０の嵌合動作の開始時には、ハウジング本体４２の円弧部６４がフード部７２の相手円弧部７４に追従するように同じく同心円弧に沿って変位することにより、両突片４８が両拡張部７３に容易に嵌合させられ、ひいてはハウジング本体４２がフード部７２内に容易に嵌合させられる。なお、態様１と同様、ハウジング本体５２の嵌合姿勢が正しくない場合には、両突片４８が両拡張部７３に嵌合されず、両ハウジング４１、７１の嵌合動作が規制される。
【００７１】
＜態様７＞
図３３〜図４７は、態様７を示す。態様７のコネクタ４０も、態様１〜６と同様、合成樹脂製のハウジング４１を備え、ハウジング４１は、端子金具３０を収容可能な角ブロック状のハウジング本体４２と、各電線１００を挿通可能なガイド部４３とからなる。
【００７２】
図４５及び図４６に示すように、ハウジング本体４２の両側面の後端下部には、一対のカバーロック受け部５３が突設されている。両カバーロック受け部５３は、側面視矩形の扁平突状をなし、ガイド部４３に設けられた後述するカバー部５６のカバーロック部５９に係止可能とされている。ハウジング本体４２のその他の構造は、態様１と同様であるため、説明を省略する。
【００７３】
ガイド部４３は、図４５に示すように、ハウジング本体４２の後端上縁に一体に連結され、且つハウジング本体４２よりも幅方向両側に張り出した状態で後方に突出する基部４９と、基部４９の前端側の幅方向両端部から下向きに突出する一対の仕切り部５４と、基部４９の後端の幅方向両側部から下向きに突出する一対のアーム部５０と、これらとは別体として設けられるカバー部５６とからなる。なお、以下の説明において、ハウジング４１のうち、カバー部５６を除く部分、つまり、ハウジング本体４２、仕切り部５４、基部４９及びアーム部５０を、ハウジング部分６６と呼称する。
【００７４】
両仕切り部５４は、板状をなし、前後方向に関してハウジング本体４２の後面寄りの位置に配置され、図３６に示すように、側面視において、ハウジング本体４２の後面との間に、各電線１００の一本分の径寸法と同等又は少し大きい程度の開口寸法を有している。両アーム部５０は、両仕切り部５４の後方に対向して配置され、後述するカバー部５６の背板部６７を嵌着可能な形状に画成されている。図３５に示すように、両アーム部５０の下端には、内側へ対向状に突出する一対の内側突出部６８が設けられている。
【００７５】
図３６及び図４１に示すように、カバー部５６は、ハウジング部分６６への組み付け時に基部４９と対向して配置される湾曲板状の対向基部５８と、対向基部５８の後端の幅方向中央部から上向きに突出する背板部６７と、対向基部５８の前端の幅方向両端部から上向きに突出する一対のカバーロック部５９とを有している。両カバーロック部５９の上端部には、爪状の係止突起６０が内側に突出して設けられている。
【００７６】
背板部６７の前面の幅方向両端部には、高さ方向に沿った係合リブ６５が突出して設けられている。また、背板部６７の上端には幅方向両側方に張り出す一対の外側突出部６９が設けられている。ここで、図３５に示すように、外側突出部６９が内側突出部６８に掛け止められた状態で、両アーム部５０の内側に係合リブ６５が当接しつつ背板部６７が嵌合させられ、それとともに、図３４に示すように、カバーロック部５９の係止突起６０がカバーロック受け部５３の上端に弾性的に係止されることにより、カバー部５６がハウジング部分６６に保持されるようになっている。このとき、図３６に示すように、カバー部５６とハウジング部分６６との間に、幅方向に貫通する通し部５２が画成される。
【００７７】
通し部５２は、側面視において、ハウジング本体４２、基部４９、アーム部５０、背板部６７及び対向基部５８によって全周に亘って閉じた形状となり、且つ仕切り部５４を介して２室に分離された状態となる。具体的には、通し部５２は、側面視において、ハウジング本体４２の後面と仕切り部５４との間に区画される開口寸法が狭小な第１通し部５２Ａと、仕切り部５４とアーム部５０との間に区画される開口寸法が広大な第２通し部５２Ｂとで構成される。第１通し部５２Ａには、各電線１００が高さ方向に縦一列で密に配列され、第２通し部５２Ｂには、各電線１００が高さ方向及び前後方向に概ね点在して配列される。とくに、第１通し部５２Ａにおいては、各電線１００の前後両端がハウジング本体４２の後面と両仕切り部５４とに当接可能に配置され、各電線１００が前後方向への遊動を規制された状態に保持される。
【００７８】
さて、図３７〜図３９に示すように、ハウジング４１の通し部５２には、後述するように、ハウジング４１が前後方向と平行な軸周りに角変位した場合に、各電線１００との干渉を回避可能なように各電線１００から退避した形状をなす逃がし部９０が設けられている。逃がし部９０は、通し部５２の内面のうち、基部４９の下面と対向基部５８の上面とに設けられた第１傾斜面９１及び第２傾斜面９２によって画成されている。第１傾斜面９１及び第２傾斜面９２は、通し部５２の内面の幅方向中央を挟んだ両側に、同幅方向中央から両端へ向けて、通し部５２の内容積を増大させる拡開方向へ次第に傾斜する形態とされている。この場合に、第１傾斜面９１及び第２傾斜面９２は互いにほぼ同一の傾斜角を有している。
【００７９】
図３７に示すように、基部４９の上面は、第１傾斜面９１及び第２傾斜面９２の背合わせ位置に、幅方向にほぼ沿ったフラット面９３を有している。このため、基部４９は、幅方向両端へ向けて次第に板厚を薄くする形態になっている。一方、対向基部５８の下面の幅方向両端部には、第１傾斜面９１及び第２傾斜面９２の背合わせ位置に、ソレノイド２００の外周面に沿うように下向きに湾曲する第１外面９４及び第２外面９５（態様６の円弧部６４に相当するものであるが、ここでは、便宜上、別名称を付す）が設けられている。第１外面９４及び第２外面９５の傾斜方向は、対向基部５８の第１傾斜面９１及び第２傾斜面９２の傾斜方向と同じ側を向いている。このため、対向基部５８の第１傾斜面９１及び第２傾斜面９２の傾斜角がきつくても、対向基部５８の幅方向両端部に所定の板厚を確保することが可能とされている。
【００８０】
また、図４１に示すように、対向基部５８の第１傾斜面９１及び第２傾斜面９２には、それぞれ板片状の規制リブ９６が突出して設けられている。両規制リブ９６の上端は、幅方向に同一高さで配置されて対向基部５８の上面の幅方向中央にほぼ段差無く連なる形態とされている。端的には、両規制リブ９６は、第１傾斜面９１及び第２傾斜面９２の傾斜角度の範囲内に配置されている。
【００８１】
図３３及び図３６に示すように、カバー部５６がハウジング部分６６に保持された状態では、両規制リブ９６が両仕切り部５４の下端後面に当接可能に配置される。このため、両仕切り部５４の後方への撓み動作が両規制リブ９６によって規制される。その結果、第１通し部５２Ａが所定間隔に正確に保持されることになり、第１通し部５２Ａに挿通される各電線１００の整列状態が安定して維持される。
【００８２】
次に、ガイド部４３の通し部５２に挿通される各電線１００の配索構造について説明する。
ハウジング部分６６にカバー部５６が取り付けられるに先立ち、ガイド部４３の通し部５２に各電線１００が挿通される。このとき、各電線１００のうち、分岐部２０に分岐される各電線１００が分取され、その分取された各電線１００が第１通し部５２Ａに通されて端子金具３０を介してハウジング本体４２のキャビティ４４に後方から挿入される。一方、幹線部１０に残る各電線１００は、第２通し部５２Ｂに通され、第２通し部５２Ｂの両端開口を通して前後方向と交差する双方向に引き出される。
【００８３】
続いて、ハウジング部分６６に下方からカバー部５６が取り付けられる。すると、図３６に示すように、カバー部５６とハウジング部分６６との間に通し部５２が周方向に閉じた状態で区画され、各電線１００の通し部５２からの抜け出しが防止される。
【００８４】
上記の場合、各ハウジング４１の通し部５２に挿通される各電線１００は、その配索方向（各コネクタ４０の並び方向）への直線性を保持可能な整列部材としての機能を有するものとなる。このため、各分岐部のコネクタ４０のハウジング４１は、それぞれ対応する相手コネクタ７０と嵌合可能な位置に正対させられ、その後の嵌合作業を円滑且つ迅速に行うことが可能となる。とりわけ、第１通し部５２Ａに各電線１００が遊動規制状態で密に配列され、且つ、この第１通し部５２Ａがハウジング本体４２と近接する位置に配置されるため、第１通し部５２Ａを通る各電線１００の軸機能が効果的に発揮され、コネクタ４０が首振りするのが確実に防止されるようになっている。
【００８５】
また、態様６で既述したように、コネクタ４０が相手コネクタ７０と嵌合された状態では、ソレノイド２００がその軸中心を中心として所定の角度範囲で前後方向（両コネクタ４０、７０の嵌合方向）と平行な軸周りに角変位することが許容されている。
【００８６】
この場合、図４０に示すように、仮に、通し部５２の内面が各電線１００の配索方向となる幅方向に平坦な形状であると、ソレノイド２００が図示時計周り方向となる第１軸周り方向Ｘに角変位したときに、各電線１００が、通し部５２の平坦な内面に沿って強制的に屈曲変形させられ、全体として波打つような配索構造になってしまう。こうなると、各電線１００がコネクタ４０Ａを並び方向に整列させる機能を充分に果たすことができず、且つ各通し部５２に通される各電線１００の本数も少なく制限されるという問題がある。
【００８７】
しかるに態様７によれば、通し部５２に逃がし部９０が設けられているため、図３８から図３９にかけて示すように、ソレノイド２００が第１軸周り方向Ｘに角変位したときに、各電線１００が、その直線性を維持した状態で、通し部５２の第１傾斜面９１に沿って実質的に屈曲されることなく配索可能となる。また、ソレノイド２００が上記とは逆の反時計周り方向となる第２軸周り方向Ｙに角変位した場合には、各電線１００が、その直線性を維持した状態で、通し部５２の第２傾斜面９２に沿って実質的に屈曲されることなく配索される。このため、ソレノイド２００が第１軸周り方向Ｘと第２軸周り方向Ｙのいずれの方向に角変位しても、各電線１００が整列部材としての整列機能を果たすことができ、且つ各通し部５２に通される各電線１００の本数も増加させることができる。なお、態様７の場合、ソレノイド２００が第１軸周り方向Ｘ及び第２軸周り方向Ｙに最大限に角変位した場合に、第１傾斜面９１及び第２傾斜面９２が各電線１００にほぼ平行して当接可能に配置されるようになっている。
【００８８】
以上説明したように、本実施例によれば、次の効果を奏し得る。
（１）態様１〜６においては、ガイド部４３の通し部５２に、この通し部５２の両端開口を通して双方向に延出する電線１００が配索されているため、この双方向に延出する電線１００が軸となって、コネクタ４０の首振りが防止され、ハウジング本体４２の前面が相手コネクタ７０との嵌合可能な位置に略位置決め状態で正対することが可能となる。その結果、コネクタ４０と相手コネクタ７０との嵌合作業を円滑に行うことができる。とくに、それぞれのコネクタ４０が対応する相手コネクタ７０との嵌合作業を迷わずに行うことができるとともに、両コネクタ４０、７０が本来の相手コネクタ７０とは異なるものと誤嵌合される事態を回避することができる。
（２）態様１〜６においては、ハウジング本体４２とガイド部４３とが一体に連結された状態になっているため、部品点数が削減され、生産性の向上を図ることができる。
（３）態様１、６においては、ガイド部４３には、電線１００を引っ掛けて通し部５２に留め置くための掛止部５１が設けられているため、電線１００がガイド部４３から抜け出るのが防止される。なお、態様２〜５の場合は、ヒンジ部５５を介して基部４９に連結されるカバー部５６が掛止部５１としての機能を発揮することで、電線１００がガイド部４３から抜け出るのが防止される。
（４）態様１〜６においては、ガイド部４３がハウジング本体４２の後面から延出する自身の電線１００を配索可能なスペースを有する通し部５２と、自身以外の他の電線１００を配索可能なスペースを有する通し部５２とを有しているため、自身の電線１００と、自身以外の他の電線１００とを、それぞれのスペースにふり分けて配索することができる。
（５）態様２、３においては、コネクタ４０のガイド部４３に複数の通し部５２が分離して設けられ、詳細には、ガイド部４３に第１通し部５２Ａと第２通し部５２Ｂとが分離して設けられているため、それぞれの通し部５２Ａ、５２Ｂを介することで、部品点数を増やさず、且つ複雑な作業を要せずに、電線１００の配索経路を定めることができる。とくに、それぞれの通し部５２Ａ、５２Ｂに電線１００をふり分けることにより、電線１００の配索パターンにバリエーションをもたせることができ、ひいては電線１００を効率良くまとめて配索することができる。
（６）態様２、３においては、第１通し部５２Ａが自身の電線１００を配索可能なスペースを有するとともに、第２通し部５２Ｂが自身以外の他の電線１００を配索可能なスペースを有し、第１通し部５２Ａと第２通し部５２Ｂとの間が仕切り部５４によって分離されているため、ハウジング本体４２の後面から延出する自身の電線１００と自身以外の他の電線１００とがそれぞれの通し部５２に混在することなく区別して配索され、各電線１００の配索作業を規則的に効率良く行うことができる。
（７）態様２においては、複数の通し部５２のうち、最も小さい開口面積を有する第１通し部５２Ａに、整列部材としての電線１００が通されるため、電線１００の本数が少なくても、電線１００による整列部材としての軸機能が効率良く発揮される。
（８）態様１〜６においては、ガイド部４３の通し部５２に、幹線部１０の各電線１００と幹線部１０の各電線１００から分岐する電線１００とが挿通されるため、幹線部１０及び分岐部２０の各電線１００が通し部５２にまとめて効率良く配索される。
（９）態様１〜６においては、コネクタ４０が、幹線部１０の延出方向に間隔をあけた複数箇所に設置され、それぞれのコネクタ４０を貫通して前後方向と交差する方向（幹線部１０の延出方向）に沿って配置される整列部材を介して、対応する相手コネクタ７０と正対可能な位置に一括して整列させられるため、両コネクタ４０、７０の嵌合作業を円滑且つ迅速に行うことが可能となる。この場合において、態様１〜３、５、６では、各コネクタ４０のガイド部４３の通し部５２を貫通する幹線部１０の各電線１００が整列部材としての機能を果たし、態様４では、各コネクタ４０のテーブル部６２の通し部５２を貫通する治具８０が整列部材としての機能を果たしている。態様１〜３、５、６において、整列部材が各電線１００からなる場合には、専用の整列部材を省略することができるため、構成の簡素化を図ることができるとともに、コストを安価に抑えることができる。
（１０）態様１〜６においては、ガイド部４３の通し部５２がハウジング４１を前後方向と交差する方向に同軸で貫通してなるため、整列部材として直線状の部材であればよく、整列部材の構造を簡素化することができるとともに、コストを安価に抑えることができる。
（１１）態様２のガイド部４３の第１通し部５２Ａ及び態様５のガイド部４３の通し部５２においては、同通し部５２に、複数の電線１００が遊動規制状態に密に配列されているため、これら電線１００が軸となって、コネクタ４０の首振りが防止され、各コネクタ４０が対応する相手ハウジング７１との嵌合可能な位置に整列させられる。その結果、コネクタ４０の誤嵌合をより確実に防止することができるとともに、相手ハウジング７１との嵌合作業をより円滑に進めることができる。
（１２）態様２のガイド部４３の第１通し部５２Ａ及び態様５のガイド部４３の通し部５２においては、同通し部５２に、各電線１００が前後方向と交差する方向に沿った平面内で一方向に並んで配列され、詳細には、高さ方向に縦一列で密に配列されているため、電線１００の軸機能（剛性）がより高められ、コネクタ４０の首振りがよりいっそう確実に抑えられる。
（１３）態様６においては、相手ハウジング７１が前後方向と平行な軸周りに角変位した場合に、ハウジング本体４２の円弧部６４がフード部７２の相手円弧部７４に誘導されてフード部７２内に進入することにより、両ハウジング４１、７１の嵌合動作が円滑且つ迅速に進められる。この場合に、円弧部６４及び相手円弧部７４は、それぞれハウジング本体４２の前面の下辺及びフード部７２の開口縁の下辺に、角変位方向に沿って弧状に湾曲する形態とされるため、誘い込み用の面取り部４６の形成範囲を小さく又は無くすことができる。その結果、コネクタ４０が大型になるのを回避することができる。
（１４）態様６においては、円弧部６４及び相手円弧部７４がそれぞれフード部７２の下辺及びハウジング本体４２の下辺を拡張してなるものであるため、相手ハウジング７１が大きな角変位量で角変位する場合にも対応することが可能となり、誘い込みの信頼性が高められる。
（１５）態様６においては、ガイド部４３の通し部５２に挿通される各電線１００の軸機能によって、各コネクタ４０のハウジング４１が前後方向と交差する方向に略位置決めされた状態で相手ハウジング７１との嵌合動作を開始することができるとともに、円弧部６４及び相手円弧部７４によって相手ハウジング７１に対するハウジング４１の嵌合位置の位置ずれが吸収されるため、両ハウジング４１、７１の嵌合動作の円滑性及び迅速性がより向上することになる。
（１６）態様７においては、ハウジング４１が角変位しても、各電線１００から退避した形状をなす逃がし部９０によって、ハウジング４１が各電線１００に大きく干渉することがないため、複数のハウジング４１が並び方向に整列した状態が安定して維持される。
【００８９】
＜他の実施例＞
本発明は上記記述及び図面によって説明した実施例に限定されるものではなく、例えば次のような態様も本発明の技術的範囲に含まれる。
（１）態様２、３においては、ガイド部に、３つ以上の通し部が設けられるものであってもよい。
（２）態様２、３においては、ガイド部の第１通し部に、幹線部の各電線が配索され、ガイド部の第２通し部に、自身のハウジング本体から延出する各電線が配索されるものであってもよい。
（３）態様１、４〜６においては、態様２、３と同様、ガイド部に複数の通し部が分離して設けられるものであってもよい。
（４）態様６においては、相手ハウジングではなく、ハウジングが軸周りに角変位する構成であってもよい。あるいは、相手ハウジングとハウジングのいずれもが軸周りに角変位する構成であってもよい。
（５）態様２、３、７においては、仕切り部がカバーに連設されるものであってもよい。
（６）態様１、６においては、掛止部がハウジング本体に連設されるものであってもよい。
（７）態様７においては、各電線の代わりに、例えば、態様４で用いた治具を整列部材として用いてもよい。
【符号の説明】
【００９０】
１０…幹線部
２０…分岐部
３０…端子金具
４０…コネクタ
４１…ハウジング
４２…ハウジング本体
４３…ガイド部
５１…掛止部
５２、５２Ｅ…通し部
５２Ａ…第１通し部
５２Ｂ…第２通し部
５４…仕切り部
６４…円弧部
７０…相手コネクタ
７１…相手ハウジング
７２…フード部
７４…相手円弧部
８０…治具（整列部材）
９０…逃がし部
９１…第１傾斜面
９２…第２傾斜面
１００…電線（整列部材）
【図１】
0006046572.tif 000002
【図２】
0006046572.tif 000003
【図３】
0006046572.tif 000004
【図４】
0006046572.tif 000005
【図５】
0006046572.tif 000006
【図６】
0006046572.tif 000007
【図７】
0006046572.tif 000008
【図８】
0006046572.tif 000009
【図９】
0006046572.tif 000010
【図１０】
0006046572.tif 000011
【図１１】
0006046572.tif 000012
【図１２】
0006046572.tif 000013
【図１３】
0006046572.tif 000014
【図１４】
0006046572.tif 000015
【図１５】
0006046572.tif 000016
【図１６】
0006046572.tif 000017
【図１７】
0006046572.tif 000018
【図１８】
0006046572.tif 000019
【図１９】
0006046572.tif 000020
【図２０】
0006046572.tif 000021
【図２１】
0006046572.tif 000022
【図２２】
0006046572.tif 000023
【図２３】
0006046572.tif 000024
【図２４】
0006046572.tif 000025
【図２５】
0006046572.tif 000026
【図２６】
0006046572.tif 000027
【図２７】
0006046572.tif 000028
【図２８】
0006046572.tif 000029
【図２９】
0006046572.tif 000030
【図３０】
0006046572.tif 000031
【図３１】
0006046572.tif 000032
【図３２】
0006046572.tif 000033
【図３３】
0006046572.tif 000034
【図３４】
0006046572.tif 000035
【図３５】
0006046572.tif 000036
【図３６】
0006046572.tif 000037
【図３７】
0006046572.tif 000038
【図３８】
0006046572.tif 000039
【図３９】
0006046572.tif 000040
【図４０】
0006046572.tif 000041
【図４１】
0006046572.tif 000042
【図４２】
0006046572.tif 000043
【図４３】
0006046572.tif 000044
【図４４】
0006046572.tif 000045
【図４５】
0006046572.tif 000046
【図４６】
0006046572.tif 000047
【図４７】
0006046572.tif 000048